(57)【特許請求の範囲】
【請求項１】
吸引開口部が設けられ、かつ供給部から受容部へ至る移送経路に沿って物品を運ぶ少なくとも一つの連続可撓吸引コンベヤーと、
前記供給部と前記受容部の間の移送経路に沿って設けられる前記連続可撓吸引コンベヤーから余分な部分が取り除かれる排出位置と、
前記連続可撓吸引コンベヤーの片側に設けられ、かつ前記連続可撓吸引コンベヤーの対向側の前記移送経路に沿って前記吸引開口部を介して吸引を生じさせる吸引システムと、
を備えた供給される一連の物品から一つ以上の余分な部分を取り除く装置において、少なくとも一つの可撓閉塞要素が、前記連続可撓吸引コンベヤーに隣接する前記移
送経路に沿って移動可能であり、前記連続可撓吸引コンベヤーと少なくとも一つの余分な部分の間に導入され、また前記少なくとも一つの余分な部分の対向側の前記連続可撓吸引コンベヤーの吸引開口部を一時的に閉じるようにし、さらに連続可撓吸引コンベヤーから独立して移動可能に動作することを特徴とする装置。
【請求項２】
前記少なくとも一つの可撓閉塞要素が、物品の組の前部叉は後部に対する連続可撓吸引コンベヤーの前記吸引開口部を、一時的に閉じることを特徴とする請求項１に記載の装置。
【請求項３】
前記物品が、巻き取られたウエブ材料のような材料のロールであり、ロールを連続して配置したものであること、前記一つ以上の余分な部分が、ロールの各組の前部叉は後部に配置されることを特徴とする請求項１又は２に記載の装置。
【請求項４】
前記吸引開口部が、前記連続可撓吸引コンベヤーの全長にかけて、規則的に配置されることを特徴とする請求項１〜３のいずれか一項に記載の装置。
【請求項５】
前記少なくとも一つの可撓閉塞要素が、前記連続可撓吸引コンベヤーに並行に、かつ少なくとも余分の部分が前記供給部と受容部の間において取り除かれる位置に沿った移送経路の一部分に沿って延びる、無端可撓部材で支持されることを特徴とする請求項１〜４のいずれか一項に記載の装置。
【請求項６】
前記無端可撓部材が、二つの平行な無端可撓要素を備え、その間に前記少なくとも一つの可撓閉塞要素が取り付けられ、前記無端可撓要素が、余分な部分が前記供給部と前記受容部の間において取り除かれる位置に沿って、前記連続可撓吸引コンベヤーの側部に少なくとも前記移送経路に沿って配置されることを特徴とする請求項５に記載の装置。
【請求項７】
前記可撓閉塞要素が、二つの無端可撓要素に取り付けられる膜から構成され、前記膜が前記連続可撓吸引コンベヤーと前記一つ以上の余分な部分を、前記移送経路に沿って配置されることを特徴とする請求項６に記載の装置。
【請求項８】
前記連続可撓吸引コンベヤー用の第一アクチュエータと、前記連続可撓部材用の第二アクチュエータとを備え、二つのアクチュエータの動きを同時作動させることを特徴とする請求項６叉は７に記載の装置。
【請求項９】
前記無端可撓部材が、互いに距離をおいて配置された二つの可撓閉塞要素を有することを特徴とする請求項５〜８のいずれか一項に記載の装置。
【請求項１０】
互いに独立して制御される、少なくとも二つの可動閉塞要素を備えることを特徴とする請求項１〜９のいずれか一項に記載の装置。
【請求項１１】
第一の前記可動閉塞要素が、物品の第一組における後部の余分な部分に対する連続可撓吸引コンベヤーの吸引開口部を一時的に閉じ、第二の前記可動閉塞要素が、前記装置に供給される、物品の第二組における前部の余分な要素に対する連続可撓吸引コンベヤーの吸引開口部を一時的に閉じることを特徴とする請求項１０に記載の装置。
【請求項１２】
前記二つの可動閉塞要素が、独立駆動システムに関連する二つの平行な可撓部材に装着されることを特徴とする請求項１０叉は１１に記載の装置。
【請求項１３】
前記吸引システムが、前記移送経路に沿って延びる吸引開口部を設けた底壁具備した吸引ボックスを備え、前記連続可撓吸引コンベヤーが、前記壁の外側に沿って進行することを特徴とする請求項１〜１２のいずれか一項に記載の装置。
【請求項１４】
物品が装置内において連続可撓吸引コンベヤー中の吸引開口部による吸引によって引きつけられて、移送経路に沿って運ばれ、該装置へ送られる一連の物品から一つ以上の余分な部分を取り除く方法において、
前記移送経路に、前記吸引開口部を閉じて前記吸引を遮断し、かつ前記連続可撓吸引コンベヤーから分離されており、さらに前記連続可撓吸引コンベヤーと一つ以上の前記余分な部分との間に入る、少なくとも一つの閉塞要素を挿入すること、及び、
前記一つ以上の余分な部分と前記連続可撓吸引コンベヤーとの間の吸引開口部を閉じるために、移送経路に沿って前記閉塞要素を前記連続可撓吸引コンベヤーと一緒に移動させ、前記移送経路から落下させて一つ以上の余分な部分を取り除かせること、を特徴とする方法。
【請求項１５】
前記一つ以上の余分な部分は、整列した物品の組における前部叉は後部に配置されることを特徴とする請求項１４に記載の方法。
【請求項１６】
前記物品が、整列したウエブのような材料のロールであることを特徴とする請求項１５に記載の方法。
【請求項１７】
少なくとも二つの閉塞要素を前記移送経路に挿入し、前記二つの閉塞要素を互いに独立して前記移送経路に沿って移動させ、及び整列された物品の組から前部の余分な部分と後部の余分な部分の位置において、前記閉塞要素によって前記連続可撓吸引コンベヤーの吸引開口部を閉じることを特徴とする請求項１４〜１６のいずれか一項に記載の方法。
【発明の詳細な説明】
【０００１】
（技術分野）
本発明は、例えば巻き取られたウエブのような材料のログを横に切断することによって得られる、整列したロールの組から前部及び後部の余分な部分を取り除く方法及び装置に関するものである。
【０００２】
（背景技術）
より一般的に、本発明は製品の組から余分な部分を取り外す方法及び装置に関するものである。
【０００３】
この種の装置は、トイレットペーパー、ペーパータオルなどのロールのような、紙材料のロールをパッキングする前に、余分な部分を取り除くため、紙加工産業に、通常使用されている。
【０００４】
（背景技術）
巻き取られたウエブのような材料のロール、例えばトイレットペーパーのロールを製造する際に、ウエブのような材料を巻き取って、完成したロールの直径と等しい直径で、かなり軸線方向の長さを有した、ログと称されるもの、すなわちロールにすることが行われる。ロールは、ノコ盤と称する手段によって、その軸線に対して直角に切断される。ログを切断する間、前部の余分な部分と後部の余分な部分が生じ、次のロールパッケージング動作の前に取り除いて、可能ならリサイクルしなければならない。
【０００５】
余分な部分を取り除くため、機械タイプの種々の装置が発展している。最近では、空気圧手段の補助によって一連の切断ロールから、余分な部分の取り除くことを行う装置が、発展している。
【０００６】
余分な部分を取り除く空気圧装置の一例が、米国特許明細書US-A-5475917に開示されている。この印刷物に記載されている実施形態の一つにおいて、ログから切断し、次に装置に供給されるロールの組の前部及び後部の余分な部分が、可撓吸引コンベヤーによって掛けられる吸引を、適切なゾーンで中断することによって、取り除かれる。可撓吸引コンベヤーが、ロールを供給部から取外し、ロールを受容部へ移送する。適切に非吸引ゾーンを配置し、且つ寸法決め、そして適切な長さのコンベヤーを使用することよって、前部及び後部の余分な部分は、コンベヤーを介する吸引を、常に中断する位置に配置されることを、確実に行うことが可能である。
【０００７】
機械手段と組み合わせた空気圧手段を使用することを基に、余分な部分を取り除く別のシステムが、米国特許明細書US-A-5458033に記載されている。このシステムは、相互に互い違いに配置された三つの部分、すなわち中心部分と二つの側部分に分割された吸引コンベヤーと考えられる。
【０００８】
巻き取られたストリップのような材料の製造及びパッケージングに関し、処理段階の間の特別な要求に依存して、別々のコンベヤーにロールを分類する必要もある。米国特許明細書US-A-4033862は、ロールを予定の基準に従って、連続して配置された一連のコンベヤーに分配するため、インプット時に、余分な部分を既に除いたロールの組を受容できる、分類装置を記載している。その装置は、余分な部分を取り除くことができない。
【０００９】
本発明の全般的な目的は、製品の組から余分な部分を取り除くため、用途の広い装置及び方法を提供することである。特別な見方によると、本発明の目的は装置に供給される物品の組の前部及び／または後部に配置した、余分な部分を取り除く方法及び装置を提供することである。
【００１０】
別の特別な見方によると、本発明の目的は、吸引手段を交換するか、または変形する必要、及び全体の寸法を大きくする必要なく、様々な寸法のロール及び／または様々な長さのロールの組に、容易に適応できるように、軸線方向に大きな寸法のロールまたはログを切断することによって得られたロールの組から、余分な部分を取り除く上記タイプの装置を提供することである。
【００１１】
また本発明の目的は、種々の動作状態及び、特にロールの様々な寸法、そして連続するロールの数の変化に適応するために、長い時間を必要としない上記タイプの装置を提供することである。
【００１２】
（発明の開示）
それら及び更なる目的及び利点は、以下の記載を読むことで本技術の専門家にとって明らかになり、本発明によると、好ましくは物品を運ぶため、伸長部全体に掛けて吸引開口部を具備した連続可撓コンベヤーが、それに関連して、物品（例えばウエブのような材料のロール）を入口から出口へ運ぶ経路に沿って移動させることができ、且つ物品の組の少なくとも一つの余分な部分に対するコンベヤーの開口部を一時的に閉じるため、少なくとも一つの閉塞要素を有する。
【００１３】
本発明の特別な利点によると、装置はログを切断することによって得られる、ロールの組から、前部及び後部の余分な部分を取り除くため作用する。この場合、一つ以上の閉塞要素が、吸引コンベヤーとロールの第一組の余分な部分との間及び、コンベヤーとロールの次の組の前部の余分な部分との間に配置される。
【００１４】
関連する吸引システムを具備したコンベヤーは、コンベヤーに供給されるロールの上に配置されて、上からロールを保持するために配置され得る。しかし、もし重力に逆らって、その効力によって余分な部分を排出するのであれば、吸引手段によって掛けられる空気圧把持力が、非垂直方向を向いてもよいので、それが厳密に必要というわけではなく。例えばコンベヤーがロールに関して横方向に配置してもよい。
【００１５】
本発明において定義したような装置によって、従来技術の装置に生じるのと反対に、コンベヤーが吸い込みをしないゾーンは、取り除かれる余分な部分に対して配置され且つ、移動可能な閉塞要素によって定義され、その移動は吸引コンベヤーの動きとは独立している。従って、吸引コンベヤーに関連する閉塞要素を、要求に応じて、取り扱われるロールの組の長さとロールの寸法に依存して、装置の寸法を制限し且つ、実質的に調節動作なしに配置し、装置は可撓吸引コンベヤーを交換する必要なく、動作状態を大きく変えること、特に長さの異なるロールの組に関して適合し得る。
【００１６】
実用的且つ有利な実施形態によると、移動可能な閉塞要素が、連続可撓部材、例えば少なくともロールを入口ゾーンから出口ゾーンへ移送させる経路に沿って、並行に延びる、一つまたは一対の鎖に装着される。
【００１７】
単一の閉塞要素を理論的に使用可能であっても、本発明による有利な実施形態によると、閉塞要素が全部で二つで、二つの向かい合った位置において、同じ連続可撓部材に装着される。また軸線方向に小さなロールの組を、適切な速度で処理することもできる。
【００１８】
一つ以上の閉塞要素は、空気に不浸透性で且つ、二つの連続可撓性部材の間に取り付けられる膜から構成され得る。ロール移送経路に沿って、閉塞要素を形成する膜が、余分な部分と吸引コンベヤーとの間に配置され、吸引コンベヤーと同じ速度で動く。また膜は、コンベヤーによって取り扱う物品の空気圧による保持力を妨げるような限度まで、空気に対し部分的な浸透性があり得る。
【００１９】
装置の柔軟性を更に増すため、二つの独立制御閉塞要素が、各々後部の余分な部分と前部の余分な部分を、ロールの連続した組から、取り除く機能を有していると考えられる。この方法で、ロール（または別の物品）の連続した層の間の距離はいくらでもよく、装置が種々の動作状況に対し柔軟に適応させられる。
【００２０】
本発明において請求されるような装置の更なる有利な特徴は、添付の請求項に示されている。
【００２１】
本発明は、ウエブのような材料のロールの組から、前部及び後部の余分な部分を取り除く方法にも関連しており、ロールが連続可撓吸引コンベヤーによる吸引によってつなげられ、移送経路に沿って移送される。本発明による特徴によると、余分な部分に対する吸引を一時的に遮断するため、移送経路の中にコンベヤーから分離した閉塞要素を挿入し、且つ閉塞要素をコンベヤーと共に移送経路に沿って動かすことによって、余分な部分が取り除かれ、この方法で、移送経路から余分な部分を取り除くと、それが結果的に落ちる。
【００２２】
以下の詳細な説明において、本発明を、二つ以上の選択出口経路にロールを分類することができる、分類システムと組み合わせて、説明する。分類システムは、本発明の実施に関して必要としないが、別の特徴及び機能を有し、余分な部分を取り除く装置を提供するための可能な更なる改善点を単に一例として、記載しただけである。
【００２３】
本技術の専門家にとって明らかであるが、軸線方向の長さがかなりあるオリジナルのログから切断されたロールの組から、余分な部分を取り除くため特別に設計された装置に利用した一例を以下で説明する、上記の要点は、似た要求がある別の状況でも、利点をもたらし得る。一般的に、装置へ供給される一つ以上の物品から構成される組から、一つ以上の余分な部分を取り除く必要がある時に、本発明を基本とする要点が利用され得、その際に“余分な部分”は、一般的に装置によって処理される物品の組に沿って、前部及び／また後部、もしくは中間位置に配置され得る、何らかの消耗要素にあてはまると理解されよう。
【００２４】
（発明を実施するための最良の形態）
本発明は以下の記載と、前記発明を実用的に制限しない例を示した、添付図面を参照すると、よく理解できるであろう。
【００２５】
本発明は、一対の側壁１を備え、その間に分離バッファ５によって二つのチャンバ３Ａと３Ｂに分割された、吸引ボックスが配置されている。チャンバ３Ａは吸引ダクと７Ａに接続され、チャンバ３Ｂは吸引ダクト７Ｂに接続されている。分離バッファ５は省略されており、吸引ダクトが二重ではなく単一でもよい。符号９は、吸引ボックスの端壁を示しており、その端壁は吸引ボックスを分割した、チャンバ３Ａと３Ｂに対応して、二つの部分９Ａと９Ｂに分割されている。開口部１１Ａが、壁９Ａに形成され、開口部１１Ｂが壁部分９Ｂに形成されている。
【００２６】
一つ以上のコンベヤー１３は、壁９の底面に沿って進行する。可撓コンベヤー１の数（図示の例では二つ）は、ロール供給チャンネルの数に対応している。二つのコンベヤー１３は、図２において断面を示したいるように、互いに並行で、２チャンネルのノコ盤（図示せず）から送られる二列のロールを同時に受容するために、配置されている。
【００２７】
可撓コンベヤー１３は、第一アイドルローラ１５と第二モーター駆動ローラ１７を周回する。ローラー１７は、例えば図示のように、１９によって示され、ローラ１７と同軸配置されたモーターからの動力を受ける。
【００２８】
各可撓コンベヤー１３が、その全長に沿って延びる開口部１３Ａを有している。開口部１３Ａは、またコンベヤー１３の全長に沿って延びるリップ１３Ｂの側部に配置されている。コンベヤー１３の経路の底部ゾーンにおいて、コンベヤーが吸引ボックス３の壁９の底面と接触し、チャンバ３Ａ及び３Ｂの内部で発生する真空によって得られる吸引は、開口部１３Ａを介して行われる。本質的に既知の方法で開口部１３Ａを介して掛けられる吸引は、以下に記載する方法で、コンベヤー１３から供給されるロールを保持する機能を有している。
【００２９】
チェーン２１も、適切な軸受手段によって、シャフト２３にアイドル状態で支持され、そこにローラー１５が支持されている。類似のチェーンホイールが、ローラー１７を支持するシャフト２４に装着されている。組立体は、ローラー１７を回転させるモーター１９が、前記シャフト２４に装着されたチェーンホイールに作用しないようになっており、前記ホイールはアイドル状態で支持され、モーター１９と異なり且つそれに関係ないアクチュエータによって、作動させることができる。２７及び２８によって示された、別の二対のチェーンホイールも、側壁１の間に装着されている。
【００３０】
各チェーン３１は、チェーンホイールを周回するように駆動され、閉じた経路に沿って延び、その底部分は、コンベヤーが吸引ボックス３の底壁９の外面に接触するゾーンにおいて、コンベヤー１３の経路とほぼ並行である。
【００３１】
空気に浸透可能な二つの膜閉塞具３３Ａ及び３３Ｂは、互いに平行な二つのチェーン３１の間に延びる。二つの膜閉塞部３３Ａ及び３３Ｂは、チェーンの経路に沿って二つの向かい合った位置に配置される。
【００３２】
チェーン３１と関連した膜閉塞具３３Ａ及び３３Ｂの動きは、チェーンホイールのシャフトの一つに関連したモーター３５によって得られ、図示の場合、シャフトにはチェーンホイール２８が留められている。
【００３３】
チェーン３１の動きは、矢印ｆ３１で示されており、コンベヤーの動きは矢印ｆ３１によって示されている。
【００３４】
ロール供給部４１は、装置の入口ゾーンに配置されている。ロールＲは組になって供給され、各組は前部の余分な部分ＲＴと後部の余分な部分ＲＣを有し、それらを記載の装置によって取り除かなければならない、余った材料の部分である。供給部４１は通常、連続コンベヤーとして示されるが、何らかの適切な形式にしてもよく、ロールの組を容易に供給する推進装置を適切に備えている。その構成は、本質的に既知のもので、種々の選択肢が本技術の専門家にとって利用可能である。
【００３５】
また装置は、図示の例において、第一可撓部材４５と第二可撓部材４７によって画定された、二つの選択経路から構成されるロール受容部も備えている。可撓みコンベヤー部材４５及び４７は、コンベヤー１３を動作させる同じモーター１９及びベルトドライブ４９、５０によって、作動させられる。
【００３６】
各可撓コンベヤー部材４５、４７は、図示の例において、吸引ボックス３の底壁９と、前記壁９の外面と接触するコンベヤー１３の各部分に、ほぼ平行な少なくとも一つの部分を有している。コンベヤー１３に関連する可撓コンベヤー部材４５、４７の構成は、コンベヤー１３によって矢印ｆＲの方向に運ばれるロールＲの供給経路に沿って、前記ロールが第一に可撓コンベヤー部材４５に、次に可撓コンベヤー部材４７に接するようになっている。
【００３７】
開口部５５を設け且つ選択的に、二重矢印の方向に移動することができるラミナー弁５３（laminar valve）は、開口部５５を個々に開口部１１Ｂに連通させるか、または開口部１１Ｂに関して互い違いに、吸引ボックス３のチャンバ３Ｂの内部に配置されている。このため、開口部５５及び１１Ｂは、実質的に同じ大きさで似た形状をしている。従ってラミナー弁５３は、開口部１１Ｂをチャンバ３Ｂに連通させるか、または前記開口部１１Ｂを遮断することもでき、ダクト７Ｂを通し、それら開口部を介してもたらされる吸引を遮断する。
【００３８】
これまで記載した装置の動作は、以下の通りである（図４〜図６参照）。
【００３９】
供給部４１は、コンベヤー１３の底部分の下に、ロールＲの組を供給する。供給部４１が吸引ボックス３の右下に延び、供給されたローラーＲが、その上方部分を各コンベヤー１３のリップ１３Ｂに接触するように配置されるにので、コンベヤー１３の開口部１３Ａを介して生じる吸引は、ロールを保持し、その際には前記リップ１３Ｂに対して密着する。結果的にロールＲは、矢印ｆＲの方向に受容部へ移送される。
【００４０】
もしラミナー弁５３が、吸引チャンバ３Ｂに対応した壁９の部分９Ｂにおける開口部１１Ｂを閉じるような位置に配置されると、ロールＲに対する吸引及び保持効力が、第一可撓コンベヤー部材４５に対して生じる。次にロールＲは可撓コンベヤー４５に放され、更に次のプロセスステーションへ矢印ｆ４５の方向に移送される。この状態は図４〜図６に図示されている。
【００４１】
また他方で、ラミナー弁５３が開口部１１Ｂを開いて、吸引チャンバ３Ａに連通させたままの位置にあると、ロールＲに対する吸引による保持効力が、吸引ボックス３の端部ゾーンまで、可撓コンベヤー部材４７に対して維持される。この場合ロールＲがコンベヤー１３より放され、ロールＲは、更なるプロセスステーションに向かって矢印ｆ４７の方向に移送するため、可撓コンベヤー部材４７に置かれる。この状態は図１に図示されている。
【００４２】
前部及び後部の余分な部分を取り除くことは、以下のように行われる（図４〜図６）。すなわち：ロールの第一組の後部の余分な部分ＲＣと、次の組の前部の余分な部分ＲＴの位置は、装置の上流に配置されたノコ盤（図示せず）によって送られるデータから知ることができる。従って、モーター３５によってチェーン３１と膜閉塞具３３Ａ及び３３Ｂを動かして、二つの閉塞具３３Ａ、３３Ｂのうち一つが、コンベヤー１３の底部分と、後部の余分な部分ＲＣと、前部の余分な部分ＲＴとの間に配置され、この時それらは吸引ボックスの下の供給部４１によって配置される。この実施形態では、余分な部分ＲＣとＲＴとの間の距離は、閉塞具３３Ａ、３３Ｂの長さにほぼ対応している。結果的に、保持吸引効力は余分な部分ＲＣ及びＲＴに対して加わらず、それらは供給部４１の終端部とコンベヤー部材４５の先端部との間の空間にある、収集ゾーンへ落ちる。容器または適切なコンベヤー（図示せず）は、余分な部分を集め且つ／または運び去る。
【００４３】
チェーン３１及び必然的に閉塞具３３Ａ、３３Ｂの移動は、コンベヤー１３と同じ速度で、排出された直後に余分な部分に対する吸引を遮断する閉塞具が、吸引ボックス３を越えた位置になるまで続く。この位置から、膜閉塞具３３Ａ、３３Ｂが、連続する前部及び後部の余分な部分を取り除く次の動作のために配置するように、チェーン３１の移動によって変位される。二つの動作具があることによって、二つの閉塞具の一方または他方を選択的に使用することができ、その動作の準備のために、前記閉塞具をより早く配置する。
【００４４】
図７〜図１０は、異なる三つの連続した動作状態にある、本発明の変形例を示している。類似の部材は、前記の実施形態において同じ、またはそれに対応した部分を示している。図７〜図９に示されたような装置は、上記装置とは異なって、各チェーンホイールを周回し、特に（図２において示された断面と等しい）図１０に示された断面部分に見られる、二対のチェーン３１Ａ、３１Ａ及び３１Ｂ、３１Ｂが、備えられている。第一膜閉塞具３３Ｘは、ホイール２１Ａ及びホイール１９Ａ、２７Ａ及び２８Ａを周回するチェーン３１Ａに取り付けられており、第二膜閉塞具３３Ｙは、チェーン３１Ｂに取り付けられている。二対のチェーン３１Ａ、３１Ａ及び３１Ｂ、３１Ｂは、図７における符号３５Ａ及び３５Ｂによって表された独立モータによって作動させられる。この方法で、二対のチェーンと必然的に膜閉塞具が、二つのモータによる独立した方法で、前記チェーンによって画定された経路に沿って変位され得る。結果的に図７〜図９を参照して、動作の記載から明らかになる、確実な利点を得ることが可能になる。
【００４５】
図７は、後部の余分な部分ＲＣが吸引コンベヤー１３に達する例を示している。二つの膜閉塞具３３Ｘ及び３３Ｙは、互いに隣接して配置し、膜閉塞具３３Ｘの前縁部は、後部の余分な部分ＲＣに接触するような位置にある。後部の余分な部分ＲＣが膜閉塞具３３Ｘの前方に配置された時、膜閉塞具がロールの供給方向にロールと同じ速度で移動し始める時、そこで膜閉塞具は各チェーンと、モーター３５Ａによって制御される。図８は、後部の余分な部分ＲＣを伴う閉塞具３３Ｘの投下ゾーンへ移動する第一段階を示している。
【００４６】
逆にチェーン３１Ｂ及び膜閉塞具３３Ｙは止まったまでもよい。膜閉塞具３３Ｙの進行は、ロールの次の組の前部の余分な部分の進行と同時作動させて始まる。図９は、閉塞具３３Ｘが一対のホイール１９Ａに達して、それを越え、その間に膜閉塞具３３Ｙが、次の組の第一ロールの前方に進行しており、次の組の第一ロールが空気圧保持システムから分離するポイントに到達する例を示している。次のロールの排出サイクルを始めるため、図７に示された位置を再び取るまで、膜閉塞部３３Ｙの進行移動の速度に関係なく、二つの閉塞具用の二つの独立駆動システムを使用することにより、膜閉塞具３３Ｘが高速で進行し得る。
【００４７】
この形態によって得られる実質的な利点は、上記のものと比較して、後部の余分な部分ＲＣと前部の余分な部分ＲＴとの間の距離がいくらでもよく、閉塞具３３Ｘ、３３Ｙの長手方向の寸法に依存しないことを含んでいる。実際に、これら二つの閉塞具は互いに独立して、後部の余分な部分と前部の余分な部分に対し個々に作用する。ロールの連続した組の前部と後部との間の距離がいかに大きくても、または小さくても、第一閉塞具３３Ｘに関する第二閉塞具３３Ｙの移動の開始を、単に幾分か遅らせることによって補償される。図７〜図９に見られるように、実際に前部の余分な部分と後部の余分な部分との距離は、二つの閉塞具の長手方向の長さの合計よりも大きい。第一閉塞具に関連して第二閉塞具の進行移動を遅らせても、前部の余分な部分と後部の余分な部分の両方を排出することが可能である。
【００４８】
更に、第一閉塞具３３はロールが空気圧保持システムを出る位置に達すると、第一閉塞具がロールの速度よりも早く、且つそれに独立して進行することができるので、上記の形態において考えられたものの代わりに、この形態では連続する動作サイクルで選択的に作動する幾つかの閉塞具を、幾つか対のチェーンに備えることは必要ではない。実際に、閉塞具３３Ｙはロールの（遅い）速度で、なおも進行する間、閉塞具３３Ｘに関してそれ自体が再び作業ポイントに配置するために充分な時間がある。更に、第二閉塞具３３Ｙがロールの次の組における前部の余分な部分を取り除くため、動作位置に正確に配置される前でも、閉塞部３３Ｘの作用動作段階が始まることができる。
【００４９】
そのような形態をしたシステムは、いかなる動作状態に対しても高い柔軟性と適合性を有し、それはいかなるロールのサイズ及びロールの組のどの長さ、並びにロールの連続する組の間のどんな距離にも適合できるように、キーボードまたは別の適切なインターフェースにより、閉塞具の全ての移動をプログラムすることが可能である。
【００５０】
図７〜図９の例に示された形態では、コンベヤー４５が作動する以前の形態に代わり、ロールは可撓コンベヤー４７に分類される。分類システムは、余分な部分を排出するため異なるシステムによって、動作してもよいので、余分な部分を排出するシステムは、二つ以上のロール分類及び排出経路に分類する手段なしでも動作し得る。
【００５１】
記載の装置は、それが分類システムと、（記載の形態のいずれか一つである）余分な部分を取り除くシステムの両方を有している時、コンベヤー部材４５またはコンベヤー部材４７へのロールＲの分類を、製造サイクルの各場合において、要求に依存して選択的に、シンプル且つ早く行うことができる。二つの可撓コンベヤー部材の一方から他方への移送は、例えば各場合で装置に供給される製造物品のタイプに依存するか、または下流の機械の動作状態に依存して、要求され得る。
【００５２】
ここで二つの可撓コンベヤー部材４５、４７を具備したシステムを参考に記載したコンセプトは、三つ以上の可撓部材をロールの供給方向ｆＲに連続して配置することによって、更に発展し得ることは明らかである。
【００５３】
記載の装置は、供給部４１から届くロールの組の種々のサイズに、容易且つ早く適合できる。
【００５４】
従来技術の装置に反して、実際にコンベヤー１３を介する吸引が、余分な部分を排出するため、遮断されるゾーンは、膜閉塞具３３Ａ、３３Ｂまたは３３Ｘ、３３Ｙによって画定され、要求に応じて配置される。このことは、従来技術の装置において生じることに反して、一方でコンベヤー１３の長さと他方でチェーン３１の長さが、ロールの寸法に依存せず、装置に供給されるロールの組の全長にも依存しないので、柔軟性の高さに加えて、全体の寸法をかなり制限することもできる。
【００５５】
ロールの直径寸法に関して装置を適合させることは、本質的に既知の方法で、可撓コンベヤー部材４５、４７及び供給部４１に関して、側壁１を高さの方向に調整することによって行われる。
【００５６】
図面は本発明の実用的な一例を簡略化して示しているだけで、前記発明の形状及び寸法は、それによって前記発明の基礎である考案の範囲内で、変えることができる。
【図面の簡単な説明】
【図１】   第一動作状態にある装置の側面及び部分断面図。
【図２】   図１における線II-IIに沿った、部分断面図。
【図３】   図１における線III-IIIに沿った、部分断面図。
【図４】   余分な部分を取り除く作業中の装置の連続する第一動作段階。
【図５】   余分な部分を取り除く作業中の装置の連続する第二動作段階。
【図６】   余分な部分を取り除く作業中の装置の連続する第三動作段階。
【図７】   余分な部分を取り除く作業中の装置の変形例の連続する第一動作段階。
【図８】   余分な部分を取り除く作業中の装置の変形例の連続する第二動作段階。
【図９】   余分な部分を取り除く作業中の装置の変形例の連続する第三動作段階。
【図１０】   図２の断面図に似た、変形装置の断面図。
【図１】
0004564699.tif 000002
【図２】
0004564699.tif 000003
【図３】
0004564699.tif 000004
【図４】
0004564699.tif 000005
【図５】
0004564699.tif 000006
【図６】
0004564699.tif 000007
【図７】
0004564699.tif 000008
【図８】
0004564699.tif 000009
【図９】
0004564699.tif 000010
【図１０】
0004564699.tif 000011